(57)【要約】      （修正有）【課題】全体的厚さと枠サイズを効果的に縮小でき、表示装置の薄型化と狭額縁の製品設計に幅広く応用できるバックライトモジュール及び表示装置を提供する。【解決手段】バックライトモジュールは、フレーム１０に導光板２０及び光学フィルムセット５０を取り付け、多層式テープ６０で光学フィルムセットをフレームに固定し、導光板の外側には発光部材４０が設けられる。表示装置は、バックライトモジュール及び表示パネルを含み、フレームの枠の位置決めエッジバー１４に位置決め切り欠きが設けられ、光学フィルムセットは、積層された第１、第２フィルムを含み、第１フィルムの位置合わせ凸部は位置決め切り欠きに対応し、第２フィルムは位置決め縁部を有し、多層式テープは第１位置決めフィルムを位置合わせ凸部に貼り付け、第１位置決めフィルムに貼り付けられた外部テープは第２フィルムの位置決め縁部とフレームの位置決めエッジバーを貼り付け、位置決め切り欠きを被覆する。【選択図】図１
0003215799.tif 000002
【実用新案登録請求の範囲】
【請求項１】
バックライトモジュールであって、
前記バックライトモジュールは、フレームと、導光板と、発光部材と、光学フィルムセットと、多層式テープと、を備え、
前記フレームは、バックプレート及び前記バックプレートの周縁部に設けられた組立側を備えた枠を有し、前記組立側は、前記バックプレートと間隔を置いて配列された位置決めエッジバーを含み、前記位置決めエッジバーは、少なくとも一つの位置決め切り欠きが形成され、
前記導光板は、前記フレームに設けられ、且つ、前記バックプレート側に位置され、
前記発光部材は、前記発光部材の光射出方向が前記導光板に向くように設置され、
前記光学フィルムセットは、前記フレームに取り付けられており、前記導光板の前記バックプレートと反対の側に位置され、前記光学フィルムセットは第1フィルムと第2フィルムを有し、前記第１フィルムは、前記導光板に近接し、前記位置決めエッジバーに向いている側縁部に前記位置決め切り欠きに対応している少なくとも一つの位置合わせ凸部が形成されて、前記第２フィルムは、前記第１フィルムの前記導光板と反対の側に設けられ、前記位置決めエッジバーに向いている側に位置決め縁部を有し、
前記多層式テープは、外部テープと、少なくとも１つの第１位置決めフィルムと、を有し、前記外部テープは、前記第２フィルムの位置決め縁部と前記フレームの位置決めエッジバーに貼り付けており、且つ、前記位置決めエッジバーの位置決め切り欠きを被覆し、前記少なくとも１つの第１位置決めフィルムは、前記外部テープに貼り付けられ、前記第１フィルムの位置合わせ凸部に対応して貼り付けられることを特徴とするバックライトモジュール。
【請求項２】
前記多層式テープは、さらに前記第１位置決めフィルムと外部テープとの間に設けられた少なくとも一つの第２位置決めフィルムを含み、
前記光学フィルムセットは、さらに前記第１フィルムと前記第２フィルムとの間に設けられた第３フィルムを含み、前記第３フィルムは複数の延長部を含み、前記各延長部は対応する前記位置合わせ凸部に積層され、且つ、前記延長部は、前記第１位置決めフィルムの側縁部に位置しており、前記第２位置決めフィルムに貼り付けられることを特徴とする請求項１に記載のバックライトモジュール。
【請求項３】
前記延長部は、突起を有し、前記突起は対応する前記位置合わせ凸部に積層され、前記第１位置決めフィルム側に位置しており、前記第２位置決めフィルムは前記突起に貼り付けられることを特徴とする請求項２に記載のバックライトモジュール。
【請求項４】
前記延長部は、間隔を置いて配列された突起を有し、前記延長部の前記突起は対応する前記位置合わせ凸部に積層され、前記第１位置決めフィルムの両側に位置しており、前記第２位置決めフィルムは前記第１位置決めフィルムの長軸側縁の外へ伸び出すとともに、前記延長部の前記突起を貼り付け、前記位置合わせ凸部の一部は前記突起の間に露出され、前記第１位置決めフィルムに貼り付けられることを特徴とする請求項２に記載のバックライトモジュール。
【請求項５】
前記フレームのバックプレートと前記導光板との間に反射シートが設けられることを特徴とする請求項１〜４の何れかに記載のバックライトモジュール。
【請求項６】
前記発光部材は前記フレームの枠の組立側内に設けられることを特徴とする請求項１〜４の何れかに記載のバックライトモジュール。
【請求項７】
請求項１〜６の何れかに記載のバックライトモジュールと、
前記バックライトモジュールの光学フィルムセットの外側に設けられる表示パネルと、を含むことを特徴とする表示装置。
【請求項８】
前記バックライトモジュールはさらに、前記フレームの枠の前記組立側に対するその他の側縁部に設けられたパネル貼り付け部材を含み、前記表示パネルは前記パネル貼り付け部材に結合されて前記フレームの枠に固定されることを特徴とする請求項７に記載の表示装置。
【考案の詳細な説明】
【技術分野】
【０００１】
本考案はバックライトを提供するバックライトモジュール及び当該バックライトモジュールを有する表示装置に関する。
【背景技術】
【０００２】
従来の表示装置は、バックライトモジュールを利用して表示パネルにバックライトを提供しており、バックライトモジュールとして既に知られているのは、主にフレームに導光板が取り付けられており、当該導光板の光入射面の外側に光源を設け、導光板の光出射面の外側に複数の光学フィルムを含む光学フィルムセットを設け、光を全反射する導光板の性能及び光射出面の微細な構造などを利用し、光源から射出される光に導光板を通過した後に均一に分散させ、そして、光学フィルムセットによって導光板の光射出面から射出される光をさらに拡散反射及びブライトニングさせ、表示パネルに対して輝度が均一であるバックライトを提供する。
【０００３】
従来のバックライトモジュールの組み立て構造において、光学フィルムセットがフレームにおける導光板の光射出面の上方に固定されるように、フレームにおける光源の設置位置と異なる両側にそれぞれ支持部材を設け、光学フィルムセットの両側縁部はそれぞれ両面テープにより支持部材に貼り付けられ固定されている。
【０００４】
従来のバックライトモジュール及び当該バックライトモジュールを含む表示装置において、バックライトモジュールはフレームの光源位置と異なる両側に支持部材構造を利用し、両面テープにより光学フィルムセットを固定しなければならないため、バックライトモジュール全体のフレームの周縁と厚さのサイズが大きくなり、バックライトモジュールと表示装置の薄型化及び狭額縁の構造設計に不利である。さらに、従来のバックライトモジュールは、フレームの光源位置と異なる両側に支持部材構造を利用し両面テープにより光学フィルムセットを固定する組み合わせ構造に設計しなければならないため、部材が多くなり、材料コストが高くなり、且つ組み立てるときに煩雑な組み立てステップによって組み立て時間が長くなり、部材同士の組み立てと組み合わせが不良であるため再加工コストを増加させる等の問題がある。
【考案の概要】
【考案が解決しようとする課題】
【０００５】
本考案は、従来の表示装置のバックライトモジュールの狭額縁化及び薄型化が難しく、組み立て時間が長く、コストが高く、不良品による再加工が発生しやすい等の問題を解決するバックライトモジュール及び表示装置を提供することを目的とする。
【課題を解決するための手段】
【０００６】
上記目的を達成するために、本考案により提供されるバックライトモジュールは、フレームと、導光板と、発光部材と、光学フィルムセットと、多層式テープと、を備え、前記フレームは、バックプレート及び前記バックプレートの周縁部に設けられた組立側を備えた枠を有し、前記組立側は、前記バックプレートと間隔を置いて配列された位置決めエッジバーを含み、前記位置決めエッジバーは、少なくとも一つの位置決め切り欠きが形成され、前記導光板は、前記フレームに設けられ、且つ、前記バックプレート側に位置され、前記発光部材は、前記発光部材の光射出方向が前記導光板に向くように設置され、前記光学フィルムセットは、前記フレームに取り付けられており、前記導光板の前記バックプレートと反対の側に位置され、前記光学フィルムセットは第1フィルムと第2フィルムを有し、前記第１フィルムは、前記導光板に近接し、前記位置決めエッジバーに向いている側縁部に前記位置決め切り欠きに対応している少なくとも一つの位置合わせ凸部が形成されて、前記第２フィルムは、前記第１フィルムの前記導光板と反対の側に設けられ、前記位置決めエッジバーに向いている側に位置決め縁部を有し、前記多層式テープは、外部テープと、少なくとも１つの第１位置決めフィルムと、を有し、前記外部テープは、前記第２フィルムの位置決め縁部と前記フレームの位置決めエッジバーに貼り付けており、且つ、前記位置決めエッジバーの位置決め切り欠きを被覆し、前記少なくとも１つの第１位置決めフィルムは、前記外部テープに貼り付けられ、前記第１フィルムの位置合わせ凸部に対応して貼り付けられることを特徴とするバックライトモジュール。
【０００７】
上述のようなバックライトモジュールにおいて、前記多層式テープはさらに、前記第１位置決めフィルムと外部テープとの間に設けられた少なくとも一つの第２位置決めフィルムを含み、前記光学フィルムセットはさらに、前記第１フィルムと前記第２フィルムとの間に設けられた第３フィルムを含み、前記第３フィルムは複数の延長部を含み、前記各延長部は対応する前記位置合わせ凸部に積層されており、前記延長部は前記第１位置決めフィルムの側縁部に位置しており、前記第２位置決めフィルムに貼り付けられている。
【０００８】
上述のようなバックライトモジュールにおいて、前記延長部は突起を有し、前記突起は対応する前記位置合わせ凸部に積層されており、前記第１位置決めフィルム側に位置しており、前記第２位置決めフィルムは前記突起に貼り付けられている。
【０００９】
上述のようなバックライトモジュールにおいて、前記延長部は、間隔を置いて配列された突起を有し、前記延長部の前記突起は対応する前記位置合わせ凸部に積層されており、前記第１位置決めフィルムの両側に位置しており、前記第２位置決めフィルムは前記第１位置決めフィルムの長軸側縁の外へ伸び出すとともに、前記延長部の前記突起を貼り付けており、前記位置合わせ凸部の一部は前記突起の間に露出されており、前記第１位置決めフィルムに貼り付けられている。
【００１０】
上述のようなバックライトモジュールにおいて、当該フレームのバックプレートと当該導光板との間に反射シートが設けられている。
【００１１】
上述のようなバックライトモジュールにおいて、当該発光部材は当該フレームの枠の組立側内に設けられている。
【００１２】
前記目的を達成するために、本考案により提供される表示装置は、上述のようなバックライトモジュールと、当該バックライトモジュールの光学フィルムセットの外側に設けられている表示パネルと、を含む。
【００１３】
上述のような表示装置において、当該バックライトモジュールはさらに当該フレームの枠の当該組立側に対するその他の側縁部に設けられたパネル貼り付け部材を含み、当該表示パネルは前記パネル貼り付け部材に結合されて当該フレームの枠に固定されている。
【考案の効果】
【００１４】
本考案のバックライトモジュール及び表示装置等により、以下の様々な利点が期待できる。
１．厚さと枠のサイズを縮小する。本考案は主に多層スタックの多層式テープを利用し、フレームに組み合わせられてその枠の位置決めエッジバーに位置決め切り欠きを形成しており、光学フィルムセットの第１フィルムはその位置合わせ凸部により位置合わせされ位置決め切り欠きに伸入し、全体的構造の空間を適切に利用すると共に、多層式テープを利用して光学フィルムセットのそれぞれ内、外層に位置している第１フィルムと第２フィルムの両方を枠に貼り付け固定することができるので、バックライトモジュール全体の厚さと枠のサイズを効果的に縮小することができ、様々なバックライトモジュールと表示装置の薄型化及び狭額縁の構造設計に幅広く応用させることができる。
２．材料コストを削減する。上述のように、本考案は多層式テープを利用して枠と光学フィルムセットを組み合わせ、材料の使用量を効果的に減少し、材料コストを削減することができる。
３．組み立て時間を短縮させ、組み立て良品率を向上させる。本考案は、主に外部テープと第１位置決めフィルムを含む多層式テープを利用し、フレームに組み合わせられて枠の位置決めエッジバーに位置決め切り欠きを形成しており、光学フィルムセットにおける第１フィルムは位置合わせ凸部を有し、光学フィルムセットをフレームに取り付け位置決めした後、そのまま多層式テープで光学フィルムセットをフレームに貼り付け固定しているため、組み立て時間を効果的に短縮できると共に、多層式テープにより光学フィルムセットを直接且つ正確にフレームに固定することができるため、組み立て良品率を向上させ、組み立て不良による材料再加工コストを削減することができる。
４．製品の清潔度を向上させる。上述のように、本考案は簡単化された組み合わせ構造を採用することにより、部材の材料を減少することができるため、部材材料のバリに異物が残存する状況を減少し、製品の清潔度を向上させることができる。
【図面の簡単な説明】
【００１５】
【図１】本考案の好適な実施形態のバックライトモジュールの立体分解図である。
【図２】図１に示す好適な実施形態のバックライトモジュールの一部の側面断面図である。
【図３】図１に示す好適な実施形態のバックライトモジュールのフレーム、光学フィルムセット及び多層式テープの部分拡大分解図である。
【図４】図１に示す好適な実施形態のバックライトモジュールの光学フィルムセットのフローチャートである。
【図５】図４に示す光学フィルムセットを組み合わせた後、多層式テープに外部テープが設けられていない状態で第１位置決めフィルムと第２位置決めフィルムをその上に貼り付けた図である。
【図６】図３に示すフレーム、光学フィルムセットと多層式テープを貼り付け組み合わせた後の図である。
【図７】本考案の好適な実施形態の表示装置の一部側面断面図である。
【考案を実施するための形態】
【００１６】
前記考案の内容により開示された技術的解決手段によれば、本考案はバックライトモジュール及び表示装置に関するものであり、図１及び図２に示すようにバックライトモジュールの具体的な好ましい実施例において、当該バックライトモジュール１は、フレーム１０、導光板２０、発光部材４０、光学フィルムセット５０及び多層式テープ６０を含む。
【００１７】
図１及び図２に示すように、当該フレーム１０は、バックプレート１１及び当該バックプレート１１の周縁部に設けられた組立側１３を備えた枠１２を含み、当該組立側１３は当該バックプレート１１と間隔を置いて配列された位置決めエッジバー１４を含み、当該位置決めエッジバー１４に少なくとも一つの位置決め切り欠き１５を形成している。本実施形態において、当該位置決めエッジバー１４は間隔を置いて配列された複数の位置決め切り欠き１５を形成している。
【００１８】
図１及び図２に示すように、当該導光板２０は当該フレーム１０に設けられており、当該バックプレート１１側に位置している。当該導光板２０は光射出面２２及び当該光射出面２２側に位置している光入射面２１を含み、光入射面２１は当該フレーム１０の枠１２の組立側１３を向いている。当該導光板２０と当該フレーム１０のバックプレート１１との間には反射シート３０を設けてもよい。
【００１９】
図１及び図２に示すように、当該発光部材４０は導光板２０の外側に設けられており、当該発光部材４０の光射出方向は当該導光板２０を向いている。本実施形態おいて、当該発光部材４０はフレーム１０の枠１２の組立側１３内に設けられており、当該発光部材４０の光射出方向は当該導光板２０の光入射面２１を向いている。
【００２０】
図１〜図４に示すように、当該光学フィルムセット５０は当該フレーム１０に取り付けられており、当該導光板２０の当該バックプレート１１と反対側に位置している。当該光学フィルムセット５０は、第１フィルム５１及び第２フィルム５２を含み、当該第１フィルム５１は当該導光板２０に近接しており、当該位置決めエッジバー１４に向いている側縁部に当該位置決め切り欠き１５に対応している少なくとも一つの位置合わせ凸部５１１が形成されている。本実施形態において、第１フィルム５１は複数の位置合わせ凸部５１１を有し、当該第２フィルム５２は当該第１フィルム５１の当該導光板２０と反対側に設けられており、当該位置決めエッジバー１４に向いている側に位置決め縁部５２１を有する。
【００２１】
図２〜図６に示すように、当該多層式テープ６０は光学フィルムセット５０をフレーム１０に固定するためのものであり、当該多層式テープ６０は外部テープ６１及び少なくとも一つの第１位置決めフィルム６２を含み、前記第１位置決めフィルム６２は当該外部テープ６１に貼り付けられており、且つ、当該第１フィルム５１の位置合わせ凸部５１１に対応して貼り付けられており、前記外部テープ６１は当該第２フィルム５２の位置決め縁部５２１と当該フレーム１０の位置決めエッジバー１４を貼り付けるとともに、当該位置決めエッジバー１４の位置決め切り欠き１５を被覆している。
【００２２】
図２〜図６に示すように、本実施形態において、当該光学フィルムセット５０はさらに当該第１フィルム５１と当該第２フィルム５２との間に設けられた第３フィルム５３を含み、当該第３フィルム５３は複数の延長部５３１を含み、前記各延長部５３１は対応する前記位置合わせ凸部５１１に積層されており、前記延長部５３１は前記第１位置決めフィルム６２の側縁部に位置している。前記多層式テープ６０は、さらに、前記第１位置決めフィルム６２と外部テープ６１との間に設けられており、前記延長部５３１に貼り付けられた少なくとも一つの第２位置決めフィルム６３を含む。
【００２３】
図２〜図６に示すように、前記第３フィルム５３の延長部５３１は、間隔を置いて配列された突起５３２であってもよく、前記延長部５３１の前記突起５３２は対応する前記位置合わせ凸部５１１に積層されており、前記第１位置決めフィルム６２の両側に位置しており、前記多層式テープ６０の第２位置決めフィルム６３は、前記第１位置決めフィルム６２の長軸側縁の外へ伸び出すとともに、前記延長部５３１の前記突起ブロック５３２を貼り付けることができ、前記位置合わせ凸部５１１の一部は前記突起５３２の間に露出され前記第１位置決めフィルム６２により貼り付けられる。さらに、前記第３フィルムの延長部は突起（図示せず）であってもよく、前記突起は対応する前記位置合わせ凸部に積層され、前記第１位置決めフィルム側に位置しており、前記多層式テープの第２位置決めフィルムは前記突起に貼り付けられる。
【００２４】
本考案のバックライトモジュール１は、多層フィルムスタックを組み合わせた多層式テープ６０を利用し、フレーム１０に組み合わせられてその枠１２の位置決めエッジバー１４に位置決め切り欠き１５を形成しており、光学フィルムセット５０の第１フィルム５１はその位置合わせ凸部５１１により位置合わせされ位置決め切り欠き１５に伸入し、発光部材４０の上方に対向しているため、フレーム１０の枠１２の空間を適切に利用することができ、且つ多層式テープ６０を利用して同時に光学フィルムセット５０のそれぞれ内、外層に位置している第１フィルム５１と第２フィルム５２を枠１２に貼り付け固定することができ、組み立てるとき優れた利便性を持たせる。
【００２５】
図２及び図７に示すように、本考案の表示装置はバックライトモジュール１及び表示パネル２を含み、当該バックライトモジュール１の構造は上述したバックライトモジュール１と同じであるため、ここでその説明を省略する。当該表示パネル２は、当該バックライトモジュール１の光学フィルムセット５０の外側に設けられている。本実施形態において、当該バックライトモジュール１はさらに当該フレーム１０の枠１２の当該組立側１３と対向するほかの側縁部に設けられたパネル貼り付け部材を含み、当該表示パネル２は前記パネル貼り付け部材に結合されて当該フレーム１０の枠１２に固定される。当該表示パネル２は液晶表示パネルであってもよく、バックライトモジュール１によって表示パネル２に必要なバックライトを提供する。
【００２６】
上述したように、本考案のバックライトモジュールは、主に多層スタックの多層式テープを利用し、フレームに組み合わせられその枠の位置決めエッジバーに位置決め切り欠きを形成しており、光学フィルムセットの第１フィルムはその位置合わせ凸部により位置合わせされ、位置決め切り欠きに挿入し、その全体的構造の空間を適切に利用し、多層式テープを利用して同時に光学フィルムセットのそれぞれ内、外層に位置している第１フィルムと第２フィルムを枠に貼り付け固定することができるため、バックライトモジュールの全体的厚さと枠サイズを効果的に縮小することができ、様々なバックライトモジュールと表示装置の薄型化と狭額縁の構造設計に幅広く応用させることができる。一方、本考案は、簡単化された組み合わせ構造により、部材の材料を減少することができるため、部材材料のバリに異物が残存するのを低減し、製品の清潔度を向上させ、材料の使用量を低減し、材料コストを削減することができる。また、本考案のバックライトモジュールは、光学フィルムセットが位置合わせによりフレームに取り付けられ、位置決めされた後、直接多層式テープで光学フィルムセットをフレームに貼り付け固定し、組み立て時間を効果的に短縮し、組み立ての不良品を減少させ、組み立て不良による材料再加工のコストを削減し、優れた産業利用価値を持っている。  
【００２７】
上記は、本考案の好ましい実施例を開示するにすぎず、如何なる形態で本考案を限定するものではなく、本考案が好ましい実施例により上記のように開示されたが、本考案を限定するものではない。当業者であれば、本考案の技術内容の範囲を逸脱しない限り、上記開示された技術内容を利用していくつかの変動や潤飾等の等価変化の等価実施例を実施することができるが、本考案の技術的手段の内容を逸脱しない限り、本考案の技術内容に従って上記好ましい実施例に対して行った何れの簡単な修正、等価変化と潤飾は、何れも本考案の技術内容の範囲に属する。
【符号の説明】
【００２８】
１    バックライトモジュール
２    表示パネル
１０  フレーム
１１  バックプレート
１２  枠
１３  組立側
１４  位置決めエッジバー
１５  位置決め切り欠き
２０  導光板
２１  光入射面
２２  光射出面
３０  反射シート
４０  発光部材
５０  光学フィルムセット
５１  第１フィルム
５１１  位置合わせ凸部
５２  第２フィルム
５２１  位置決め縁部
５３  第３フィルム
５３１  延長部
５３１  突起
６０  多層式テープ
６１  外部テープ
６２  第１位置決めフィルム
６３  第２位置決めフィルム
【図１】
0003215799.tif 000003
【図２】
0003215799.tif 000004
【図３】
0003215799.tif 000005
【図４】
0003215799.tif 000006
【図５】
0003215799.tif 000007
【図６】
0003215799.tif 000008
【図７】
0003215799.tif 000009